(57)【特許請求の範囲】
【請求項１】
各種フォントの中から選択された表示対象フォントの文字を表示枠内に所定のグリフサイズで表示させる文字画像作成装置であって、
前記文字の基準フォントのセルサイズを前記表示枠の枠サイズに対応させるように演算する演算手段と、
前記演算手段で演算された前記基準フォントのグリフサイズに前記表示対象フォントのグリフサイズが近づくように、該表示対象フォントのセルサイズを変更する変更手段と
を備えていることを特徴とする文字画像作成装置。
【請求項２】
前記演算手段は、前記表示枠内に複数の文字が表示されるときに、各文字の基準フォントの全セルサイズを、前記表示枠の枠サイズに対応させる前記セルサイズとすることを特徴とする請求項１記載の文字画像作成装置。
【請求項３】
前記演算手段は、文字列の基準フォントのセルサイズから全セルサイズに対する占有率を求め、この占有率に応じて文字列の基準フォントのグリフサイズを変更することを特徴とする請求項２記載の文字画像作成装置。
【請求項４】
前記演算手段は、前記基準フォントの文字セルの幅および高さを基にして前記占有率を求めることを特徴とする請求項３記載の文字画像作成装置。
【請求項５】
前記表示枠は、印鑑枠に沿って形成された仮想の矩形枠であり、該表示枠内の文字は、前記印鑑枠と一体になって表示されることを特徴とする請求項１ないし３の何れか１項に記載の文字画像作成装置。
【請求項６】
各種フォントの中から選択された表示対象フォントの文字を表示枠内に所定のグリフサイズで表示させる文字画像作成方法であって、
前記文字の基準フォントのセルサイズを前記表示枠の枠サイズに対応させるように演算する第１工程と、
前記第一工程で演算された前記基準フォントのグリフサイズに前記表示対象フォントのグリフサイズが近づくように、該表示対象フォントのセルサイズを変更する第２工程と
を備えていることを特徴とする文字画像作成方法。
【請求項７】
各種フォントの中から選択された表示対象フォントの文字を表示枠内に所定のグリフサイズで表示させる文字画像作成プログラムを記録したコンピュータ読み取り可能な記録媒体であって、
前記文字の基準フォントのセルサイズを前記表示枠の枠サイズに対応させるように演算し、
前記演算された前記基準フォントのグリフサイズに前記表示対象フォントのグリフサイズが近づくように、該表示対象フォントのセルサイズを変更することを特徴とする文字画像作成プログラムを記録したコンピュータ読み取り可能な記録媒体。
【発明の詳細な説明】
【０００１】
【発明の属する技術分野】
本発明は、各種フォントの文字を所定のグリフサイズで画面表示する文字画像作成装置、文字画像作成方法及び文字画像作成プログラムを記録したコンピュータ読み取り可能な記録媒体に関し、詳細には、印面が製版されるスタンプ用の印面の文字を画面表示する際に好適なものに関する。
【０００２】
【従来の技術】
ポジ原稿により光を透過および遮蔽させながら印面を製版してスタンプを作成する方式や印面データに基づいて加熱手段を制御して印面を製版してスタンプを作成する方式のスタンプ作成装置は、印面を手作業で切削する等の特殊な技能が不要であるため、多種類のスタンプを容易かつ安価に手に入れたい需要層に高い評価を得ている。
【０００３】
また、上記スタンプ作成装置に使用されるポジ原稿を作成する場合や印面データを作成する場合においても、上記の印面を製版する場合と同様に容易に作成できることが望ましいため、パーソナルコンピュータ等の情報処理装置のモニタにポジ原稿や印面データのプレビュー画像を表示し、このプレビュー画像上で文字のフォントやレイアウトをマウスやキーボードの操作により編集できるようにしている。具体的には、図２１（ａ）に示すように、モニタのプレビュー画像に印面の所定領域を示す表示枠２０１を設定しておき、オペレータがマウスやキーボードを操作して文字を入力したときに、表示枠２０１に一致した文字セル２０２で文字を表示する。そして、モニタの同一画面上にフォント指定欄を設けておき、このフォント指定欄から所望のフォントを選択する操作を行ったときに、図２１（ｂ）に示すように、文字セル２０１を表示枠２０１に一致させつつフォントを選択したものに変更する処理を行うようにしている。これにより、オペレータは、表示枠２０１と文字セル２０２との関係を意識することなくフォントを変更することが可能になっている。
【０００４】
【発明が解決しようとする課題】
しかしながら、上記従来のように、表示枠２０１と文字セル２０２とを一致させながらフォントを変更するだけでは、文字セル２０２がグリフ（文字自体）の周囲の余白を含み、その余白の程度が各フォント毎に異なるため、選択したフォントによっては変更前と変更後とでグリフの大きさが顕著に相違することがある。そして、グリフが顕著に相違すると、プレビュー画像のイメージがフォント以外の要素も含めて変化するため、オペレータがグリフの大きさを変更前の状態に戻すように修正しなければならないという余計な操作が必要になる。
【０００５】
従って、本発明は、フォントを変更したときに、表示枠に対して一定の関係にある所定の大きさのグリフを常に表示させることができる文字画像作成装置、文字画像作成方法及び文字画像作成プログラムを記録したコンピュータ読み取り可能な記録媒体を提供するものである。
【０００６】
【課題を解決するための手段】
請求項１の発明は、各種フォントの中から選択された表示対象フォントの文字を表示枠内に所定のグリフサイズで表示させる文字画像作成装置であって、前記文字の基準フォントのセルサイズを前記表示枠の枠サイズに対応させるように演算する演算手段と、前記演算手段で演算された前記基準フォントのグリフサイズに前記表示対象フォントのグリフサイズが近づくように、該表示対象フォントのセルサイズを変更する変更手段とを備えていることを特徴としている。上記の構成によれば、表示枠の枠サイズに対応するように基準フォントのセルサイズが演算手段において求められると、このセルサイズの基準フォントから得られるグリフサイズは、表示枠の枠サイズに対して常に一定の関係になる。従って、この基準フォントによる一定のグリフサイズに表示対象フォントのグリフサイズが近づくように、表示対象フォントのセルサイズを変更すれば、選択される表示対象フォント毎にグリフサイズが異なる場合でも、表示枠に対して一定の関係にある所定のグリフサイズの文字を常に表示させることが可能になる。
【０００７】
請求項２の発明は、請求項１記載の文字画像作成装置であって、前記演算手段は、前記表示枠内に複数の文字が表示されるときに、各文字の基準フォントの全セルサイズを、前記表示枠の枠サイズに対応させる前記セルサイズとすることを特徴としている。上記の構成によれば、表示枠内に表示される文字数に応じて最適なグリフサイズの文字を表示させることができる。
【０００８】
請求項３の発明は、請求項２記載の文字画像作成装置であって、前記演算手段は、文字列の基準フォントのセルサイズから全セルサイズに対する占有率を求め、この占有率に応じて文字の基準フォントのグリフサイズを変更することを特徴としている。上記の構成によれば、文字が可変ピッチフォントであったときに、このフォントのセルサイズに応じた表示を各文字に対して行うことができる。
【０００９】
請求項４の発明は、請求項３記載の文字画像作成装置であって、前記演算手段は、前記基準フォントの文字セルの幅および高さを基にして前記占有率を求めることを特徴としている。上記の構成によれば、占有率を簡単に求めることができる。
【００１０】
請求項５の発明は、請求項１ないし３の何れか１項に記載の文字画像作成装置であって、前記表示枠は、印鑑枠に沿って形成された仮想の矩形枠であり、該表示枠内の文字は、前記印鑑枠と一体になって表示されることを特徴としている。上記の構成によれば、表示対象フォントの文字の画像を印鑑枠の画像と共に目視することができるため、文字と印鑑枠との関係を容易に把握することができる。
【００１１】
請求項６の発明は、各種フォントの中から選択された表示対象フォントの文字を表示枠内に所定のグリフサイズで表示させる文字画像作成方法であって、前記文字の基準フォントのセルサイズを前記表示枠の枠サイズに対応させるように演算する第１工程と、前記第一工程で演算された前記基準フォントのグリフサイズに前記表示対象フォントのグリフサイズが近づくように、該表示対象フォントのセルサイズを変更する第２工程とを備えていることを特徴としている。上記の構成によれば、請求項１の場合と同様に、選択される表示対象フォント毎にグリフサイズが異なる場合でも、所定のグリフサイズの文字を常に表示させることが可能になる。
【００１２】
請求項７の発明は、各種フォントの中から選択された表示対象フォントの文字を表示枠内に所定のグリフサイズで表示させる文字画像作成プログラムを記録したコンピュータ読み取り可能な記録媒体であって、前記文字の基準フォントのセルサイズを前記表示枠の枠サイズに対応させるように演算し、前記演算された前記基準フォントのグリフサイズに前記表示対象フォントのグリフサイズが近づくように、該表示対象フォントのセルサイズを変更することを特徴としている。上記の構成によれば、請求項１の場合と同様に、選択される表示対象フォント毎にグリフサイズが異なる場合でも、所定のグリフサイズの文字を常に表示させることが可能になる。
【００１３】
【発明の実施の形態】
以下、本発明の好適な実施の形態について図面を参照しつつ説明する。
【００１４】
図１３は、本実施の形態に係る文字画像作成装置であるパーソナルコンピュータとこれに接続されたスタンプ作成装置のブロック図である。また、図１４は、図１３に示されたスタンプ作成装置の全体斜視図、図１５はその全体断面図である。
【００１５】
まず、図１４および図１５を参照してスタンプ作成装置の構造について説明する。スタンプ作成装置１は、装置本体１２に対して着脱可能であって透明の原稿フィルム８を複数枚収納可能なフィルムマガジン２と、フィルムマガジン２の近傍の装置本体１２に設けられた印版識別（ＩＤ）ラベル用のカットシートＣＳの供給口３と、サーマルヘッド５を備えた印刷部４と、印刷された原稿フィルム８に基づいてスタンプ本体７の下面に配された印材（図示せず）に印面を形成するためのスタンプ部６と、印面作成時にスタンプ本体７を収納するスタンプ収納部７０と、スタンプ部６の近傍の装置本体１２に設けられたカットシートＣＳおよび原稿フィルム８の排出口１０８とを有している。
【００１６】
印刷部４の上面に設けられたヘッドホルダユニット１０２は、その下側にサーマルヘッド５を有しているとともに、軸１１０を中心として上方に回動可能となっている。これにより、装置内部のメンテナンスができるようになっている。また、フィルムマガジン２の最も上にある原稿フィルム８先端部は繰り出しローラ２３に押圧接触し、この状態で繰り出しローラ２３を駆動回転することで原稿フィルム８を印刷部４に向けて良好に搬送することができる。また、カットシートＣＳは、供給口３の直後に設けられた一対の送り出しローラ１９、２０と、送り出しローラ１９、２０の直後に設けられてサーマルヘッド５方向に湾曲したシートガイド２１と、ガイドレール１５とによって、サーマルヘッド５による印刷が可能な位置へと搬送される。
【００１７】
印刷部４には、ワックス系インクが塗付された熱転写リボン９の元巻ロール１３ａおよび巻取ロール１３ｂが設けられている。ヘッドホルダユニット１０２の下側に配設されたサーマルヘッド５の下方には、プラテン１４が設けられている。また、元巻ロール１３ａの下方には、原稿フィルム８やカットシートＣＳをサーマルヘッド５とプラテン１４との間に案内するガイドレール１５と、搬送途中での原稿フィルム８やカットシートＣＳの浮き上がりを防止する押えガイド１６とが配設されている。また、サーマルヘッド５の下流側には移送ガイド１７と、一対の供給ローラ１８が設けられている。
【００１８】
スタンプ部６下方には、リフレクタボックス３４で覆われたキセノン管１１を具備した発光ユニット（ＨＵ）１０が着脱自在に設けられている。スタンプ本体７が載置されるステージ３３を有する発光ユニット１０はスライドレバー１０１を上方に摺動させることによってスタンプ作成装置１から取り外しが可能である。また、スタンプ部６には、スタンプ本体７を出し入れする際に開閉される上蓋３６と上前蓋１０６とが設けられている。
【００１９】
このスタンプ作成装置１は、図１３に示すパーソナルコンピュータ１５０と接続されることによって、パーソナルコンピュータ１５０からの制御にしたがって、印面データに基づいた原稿フィルム８へのポジ原稿の印刷、カットシートＣＳへのＩＤラベルの印刷、ポジ画像が印刷された原稿フィルム８に基づくスタンプの製版といった各種動作を実行するように構成されている。
【００２０】
つまり、フィルムマガジン２から印刷部４に搬送された原稿フィルム８に対して、印面データに基づいてサーマルヘッド５が所定の文字、図形等のポジ画像を印刷し、その印刷された原稿フィルム８がスタンプ部６に送られる。そして、発光ユニット１０によってスタンプ本体７の下面に配された印材に原稿フィルム８を介して光が照射されることによって、印材が製版されスタンプ作成装置１による一連のスタンプ作成動作が完了する。
【００２１】
また、カットシートＣＳ印刷の場合には、供給口３からカットシートＣＳが供給され、原稿フィルム８ではなくカットシートＣＳに文字、図形などのポジ画像が印刷され、排出口１０８から排出される。印刷されたカットシートＣＳは、スタンプ本体７のＩＤラベルとして後述するグリップ部材１１２（図１６参照）の頂部に貼着されてよい。
【００２２】
ここで、スタンプ作成装置１に用いられる印材およびスタンプ本体７を備えたスタンプユニットの構造について説明する。ここで用いられる印材は、例えば本出願人による特開平１１−７８１９１号公報に開示されているような、カーボンブラックなどの光エネルギー吸収性物質を分散させた軟質多孔性樹脂（例えば、ウレタン系樹脂）からなる下側層と、インクを貯溜するとともに下側層に均一に圧力が印加されるようにする硬質多孔性樹脂（例えば、ポリビニルホルマール）からなる上側層とを具備した２層構造を有する印材である。
【００２３】
この印材を圧縮した状態でポジ画像が印刷された透明な原稿フィルム（ポジ原稿）を介して選択的に光を照射すると、原稿の透明部分に対応して光が照射された下側層の部分は、光エネルギー吸収物質の発熱作用によって溶融後固化されるので、シールされてインクを透過しない状態となる。一方、原稿の印刷部分に対応した下側層の部分は、光が照射されないだけでなく原稿の印刷部分からの伝導熱で溶融固化されることもなく、原稿の文字等に対応してシールされないでそのまま残存することとなる。これにより、所望パターンのシール部（非印刷部）と非シール部（印刷部）とが印材の下面に混在した印判が形成される。
【００２４】
また、スタンプ本体７は、図１６に示すスタンプユニット１１１の一部を構成しており、このスタンプユニット１１１は、スタンプ印刷時にユーザが把持するためのグリップ（取っ手）部材１１２、スカート部材１１４、スタンプ本体（ホルダ部材）７、および、スタンプ不使用時に印材のカバーとなるキャップ部材１１６を備えている。スタンプ本体７は、一体に形成された上部ホルダ部８１と下部ホルダ部８２とから構成されている。そして、スタンプ本体７がスカート部材１１４内で上下に移動可能となるようにスタンプ本体７とグリップ部材１１２とが連結される。印材（図示せず）は、スタンプ本体７の下面に熱接着により配設されており、その周縁部からインクが漏れないようにされている。インクは印材の硬質多孔性樹脂からなる上側層に貯溜されている。従って、スタンプ印刷時にキャップ部材１１６を取り外した状態でグリップ部材１１２を押し下げて印材を印刷用紙に接触させると、印材上方から供給されたインクが印材の下側層の非シール部だけから滲出して印刷用紙に付着し、所望の画像がスタンプ印刷されることになる。
【００２５】
また、スタンプ作成装置１は、図１６の如き四角枠のスタンプ本体７のみならず、ネーム印サイズ（印鑑サイズ）のスタンプ本体７０１にも対応できる。図１９に示されるように、中央に丸穴１２２が設けられたアタッチメント１２０を使用し、丸穴１２２内にネーム印サイズのスタンプ本体７０１を挿入して保持する。
【００２６】
尚、スタンプ本体７０１は、図１７に示すように構成されている。図１０は、認印サイズの印材３を保持するホルダ部材４の要部の分解図である。ホルダ部材４は、インク吸蔵体５０を介して印材３を保持する。ホルダ部材４の底側は、周壁５５の内部に中空の円筒形の円筒壁５６及び十字形に配置された板状の支持柱５７を有し、円筒壁５６と支持柱５７の間は空洞となっている。また、ホルダ部材４の底部中央には突起５８が設けられ、後述のインク吸蔵体５０の凹部５３と係合する。ホルダ部材４とインク吸蔵体５０とは、突起５８と凹部５３の嵌合により位置決めされ、周壁５５の外周側から円筒壁５６の内周側に至る幅と同じ幅に取り付けられた両面テープ等により接着される。
【００２７】
印材３は、底面がフラットな短筒形に形成されている。この印材３は、例えばカーボンブラック等の光エネルギー吸収性物質を分散させて含有させた気孔率６５％程度のポリウレタン等のウレタン系樹脂である軟質多孔性樹脂からなり、厚さ１．２ｍｍである。インク吸蔵体５０は、例えば気孔率９０％程度のポリビニルホルマールからなる厚さ３ｍｍの硬質多孔性樹脂からなる。このインク吸蔵体５０は、円周部分に４分割して接着剤５１が塗布され、円周部分内にも点状に散在する接着剤５１が塗布されいる。円周部分における接着剤の非塗布部分５２は、空気の排出用に設けられている。
【００２８】
印材３に含有されるカーボンブラックの重量比率は、例えば、ポリウレタン系発砲樹脂の場合、その樹脂に対し、通常０．１重量％〜１５重量％、好ましくは、１．０重量％〜１５重量％である。なお、印材３において、カーボンブラックの代りに使用される光エネルギー吸収性物質としては、塩化銅、臭化銀等が挙げられる。また、印材３は、ウレタン系樹脂以外に、ポリオレフィン系樹脂、ポリ塩化ビニル系樹脂、または、ゴム系樹脂を主原料とするものであってもよい。
【００２９】
図１８〜図２０は、アタッチメント１２０の使用手順を示す。図１８において、上前蓋１０６を手前に引いてロックを外した後、上蓋３６を開く。レバー３８を押し広げてから、アタッチメント１２０をポジ原稿の上に装着する。図１９（ａ）において、アタッチメント１２０の中央に設けられた丸穴１２２の位置を、摘まみ１２４，１２６を操作して、図１９（ｂ）のように、ポジ原稿の印刷部分と丸穴１２２とを一致させる。図２０のように、丸穴１２２の中にスタンプ本体７０１を入れ、上蓋３６及び上前蓋１０６を閉じると、図１５の状態になる。そして、スタンプ本体７０１の図示されない印材の下面に、所望パターンのシール部（非印刷部）と非シール部（印刷部）とが混在した印版を形成する。
【００３０】
次に、本実施の形態に係る文字画像作成装置であるパーソナルコンピュータおよびこれに接続されたスタンプ作成装置の制御系について、図１３を参照して説明する。パーソナルコンピュータ１５０は、ＣＰＵ１５２と、ＲＡＭ１５４と、ハードディスク１５６と、入出力インターフェイス１６２とを有しており、これらはバス１６４によって相互に接続されている。また、入出力インターフェイス１６２には、モニタ１５８および入力装置１６０が接続されている。
【００３１】
モニタ１５８には、スタンプ作成装置１で製版されるべき印面データとしての文字画像データや画像編集のためのユーザインターフェイスなどが表示される。入力装置１６０は、例えばキーボードや入力パッドなどの文字入力が可能な装置のほか、マウスなどのポインティングデバイスやスキャナなどの画像取り込み装置を含んでいてもよい。
【００３２】
ハードディスク１５６は、本実施の形態に係る記録媒体に記録されたプログラムや、仮名・漢字変換などの為の辞書データおよび多数の文字のドットパターンデータがコードデータと対応付けられた印面作成用データなどを磁気的に記憶している。ＲＡＭ１５４は、ハードディスク１５６から読み出されたプログラムや入力装置１６０から与えられたデータのほか、後述するドット補正処理のためのチェック用データなどを一時的に記憶する。ＲＡＭ１５４には、入力装置１６０から入力された入力データ（文字データなどの場合にはハードディスク１５６に記憶された穿孔用データに基づいてＣＰＵ１５２で変換されたドットパターンデータ）をドットのオンオフデータとして記憶する入力バッファや、編集された文字画像データを記憶する編集画像バッファ等のほか、種々のカウンタやレジスタが設けられている。
【００３３】
ＣＰＵ１５２は、ハードディスク１５６に記憶されたプログラムおよび入力装置１６０から入力されたデータなどに基づいて、以下に詳述するような所定の画像編集演算を行い、その結果をＲＡＭ１５４および／またはハードディスク１５６に記憶させ、さらに必要であればモニタ１５８に表示させる。そして、ＣＰＵ１５２は、原稿フィルム８への画像印刷が行われる際に、ＲＡＭ１５４の編集画像バッファに記憶された編集結果としての文字画像のドットオンオフデータをスタンプ作成装置１に送る。なお、ＣＰＵ１５２は、ＩＤラベルとしてのカットシートＣＳ印刷が行われる際には、本実施の形態による文字画像作成が行われていない入力バッファ１７１に記憶されたドットオンオフデータを印面データとしてスタンプ作成装置１に送る。
【００３４】
本実施の形態に係る制御プログラムが記録された記録媒体は、例えばフロッピーディスクやＣＤ−ＲＯＭであり、図１３には示されていないものの、パーソナルコンピュータ１５０にはフロッピーディスクドライブおよび／またはＣＤ−ＲＯＭドライブが装備されている。
【００３５】
また、スタンプ作成装置１には、ＣＰＵ１８０と、ＲＯＭ１８２と、ＲＡＭ１８４と、入出力インタフェース１８８とが備えられており、これらはバス１９０によって相互に接続されている。また、入出力インターフェイス１８８には、パーソナルコンピュータ１５０の入出力インターフェイス１６２が接続されている。これによって、スタンプ作成装置１は、パーソナルコンピュータ１から文字画像のドットオンオフデータを取り込むことが可能である。さらに、入出力インターフェイス１８８には、ヘッド駆動回路１９２およびモータ駆動回路１９４がそれぞれ接続されている。ヘッド駆動回路１９２にはサーマルヘッド５が接続されており、モータ駆動回路１９４にはスタンプ作成装置１の各所に配置された各種ローラなどを駆動するモータ１７８が接続されている。
【００３６】
ＲＯＭ１８２には、スタンプ作成装置１の全体の作動を制御する制御プログラムを記憶したプログラムが記憶されている。ＲＡＭ１８４には、パーソナルコンピュータ１５０から与えられた文字画像データを記憶する画像バッファ１９７が設けられている。
【００３７】
ＣＰＵ１８０は、ＲＯＭ１８２に記憶された制御プログラムおよびＲＡＭ１８４の画像バッファ１９７に記憶された文字画像データに基づいて、ヘッド駆動回路１９２およびモータ駆動回路１９４を制御する。これにより、原稿フィルム８またはカットシートＣＳにはサーマルヘッド５で所望の画像が印刷され、原稿フィルム８はその後印材の製版に供される。
【００３８】
次に、本実施の形態に係る文字画像作成装置であるパーソナルコンピュータ１５０によって実行される文字画像作成方法について、図１〜図１２を用いて説明する。
【００３９】
パーソナルコンピュータ１５０において文字画像作成プログラムを起動すると、図８に示すように、現在の編集段階を示す作成手順欄２１１と、印面の初期レイアウトを示す形式選択欄２１２とを有した形式選択画面２１０が表示される。尚、形式選択画面２１０には、形式選択欄２１２で選択可能な初期レイアウトを基本印用とオフィス印用とオリジナル印用とに切り換え可能な用途切換スイッチ２１３や、選択した初期レイアウトを確定する完了スイッチ２１４、本プログラムを終了する終了スイッチ２１５、操作方法等を画面表示するヘルプスイッチ２１６等も設けられている。
【００４０】
次に、オペレータによりマウスが操作され、形式選択画面２１０上でマウスポインタが移動されてクリックされることによって、マウスポインタと重複したスイッチ類等の画像に対応づけられた処理が行われる。例えば形式選択欄２１２の表示を切り換える場合には、所望の用途切換スイッチ２１３の画像上にマウスポインタが移動され、マウスがクリックされることによって、このスイッチ１３が仮想的に押圧される。これにより、押圧された用途切換スイッチ２１３に対応する形式選択欄２１２が形式選択画面２１０に表示される。
【００４１】
所望の形式選択欄２１２が表示されると、上述のようにマウスが操作されることによって、形式選択欄２１２内に表示された所望の初期レイアウト画像２１２ａが選択される。尚、初期レイアウト画像１２１ａが選択されると、選択状態を視覚的にオペレータに認識させるように、未選択の画像１２１ａとは異なる色や濃度に置き換えられる。この後、選択が完了すると、完了スイッチ２１４が押圧されることによって、選択した初期レイアウトが確定されて次の処理へ引き継がれる。
【００４２】
次に、図９に示すように、選択された初期レイアウトに対応した文字入力画面２１７が表示される。文字入力画面２１７は、拡大プレビュー領域２１８と、入力エディットボックス２１９と、フォント指定欄２２０とを有している。拡大プレビュー領域２１８は、ポジ原稿のプレビュー画像を拡大表示するものであり、印鑑の周縁部を示す印鑑枠２２３を予め表示していると共に、この印鑑枠２２３に沿って形成されたオペレータには見えない仮想の表示枠２２４を有している。尚、表示枠２２４は、矩形状に形成されており、１行の初期レイアウトが選択されたときには印鑑枠２２３の中心部を水平方向に横切るように一つ配置され、図１０に示すように、２列の初期レイアウトが選択されたときには印鑑枠２２３に対して左右一対に配置される。
【００４３】
また、入力エディットボックス２１９は、拡大プレビュー領域２１８に表示させる文字を入力する際に使用されるものであり、人名の一覧を選択可能に表示する人名辞書スイッチ２１９ａと、特殊な漢字の一覧を選択可能に表示する特殊漢字スイッチ２１９ｂと、これらのスイッチ２１９ａ，２１９ｂで選択された文字やキー入力された文字を修正可能に表示する文字表示部２１９ｃとを有している。また、フォント指定欄２２０は、拡大プレビュー領域２１８に表示された文字のフォントを切り換える際に使用されるものであり、各種のフォントの一覧を選択可能に表示するフォント選択部２２０ａと、半古書体フォントを選択する半古書体スイッチ２２０ｂと、正楷書体フォントを選択する正楷書体スイッチ２２０ｃとを有している。
【００４４】
さらに、文字入力画面２１７は、レイアウト枠選択スイッチ２２１と復帰スイッチ２２２とを有している。レイアウト枠選択スイッチ２２１は、初期レイアウトの表示枠２２４に対応して配置されたレイアウト枠２２１ａを有しており、オペレータに対して初期レイアウトを認識させると共に、文字表示部２１９ｃの文字が表示される表示枠２２４を選択する際に使用される。また、復帰スイッチ２２２は、前回の編集画面に戻る際に使用される。
【００４５】
上記の文字入力画面２１７が表示されると、例えば図１０の２列の初期レイアウトであれば、先ず、レイアウト枠選択スイッチ２２１において所定のレイアウト枠２２１ａが押圧されることによって、拡大プレビュー領域２１８の表示枠２２４が選択される。尚、図９に示すように、１行の初期レイアウトであれば、レイアウト枠選択スイッチ２２１での選択は不要である。
【００４６】
次に、文字表示部２１９ｃにマウスポインタが移動され、入力エディットボックス２１９の文字表示部２１９ｃ上でクリックされることによって、文字表示部２１９ｃがデータ受付状態にされる。そして、キー入力等により“文字”というデータが入力されると、これが文字表示部２１９ｃに表示され、データの確定後に、フォント指定欄２２０で選択された表示対象フォントでもって拡大プレビュー領域２１８に表示される。また、拡大プレビュー領域２１８への表示後に、フォント指定欄２２０における表示対象フォントが変更されると、拡大プレビュー領域２１８のフォントも連動して変更される。
【００４７】
ところで、拡大プレビュー領域２１８に例えば“文字”を表示するときや、この“文字”のフォントを表示対象フォントに変更するときには、図１のフォントサイズ変更ルーチンが実行される。
【００４８】
即ち、図２（ａ）に示すように、矩形状の表示枠２２４から表示高Ｈと表示幅Ｗとが求められた後（Ｓ１）、図２（ｂ）に示すように、表示枠２２４中の全ての文字について、各文字に対応する基準フォントの文字セル２２５のセル高ｙ１，ｙ２とセル幅ｘ１，ｘ２が求められる（Ｓ２）。そして、表示枠２２４が文字列を行方向に表示するものであるか否かが判定され（Ｓ３）、行方向であれば（Ｓ３，ＹＥＳ）、セル幅の合計値に対する各セル幅の比率が算出される（Ｓ４）。例えば“文”についてはｘ１／（ｘ１＋ｘ２）、“字”についてはｘ２／（ｘ１＋ｘ２）の比率が算出される。この後、セル幅の比率が表示枠２２４の表示幅Ｗに乗算されることにより各基準フォントの基準セル幅とされると共に、表示枠２２４の表示高Ｈが各基準フォントの基準セル高とされる（Ｓ５）。
【００４９】
一方、図１０に示すように、表示枠２２４の文字列が列方向に表示されるものである場合には（Ｓ３，ＮＯ）、セル高の合計値に対する各セル高の比率が算出された後（Ｓ５）、この比率が表示枠２２４の表示高Ｈに乗算されることにより各基準フォントの基準セル高とされると共に、表示枠２２４の表示幅Ｗが各基準フォントの基準セル幅とされる（Ｓ７）。
【００５０】
上記のようにして基準セル幅と基準セル高が求められると、図２（ｃ）に示すように、“文字”の基準フォントを基準セル高および基準セル幅で表したときの文字列全体の基準グリフ枠２２６が求められ、この基準グリフ枠２２６のグリフ高ｙ３とグリフ幅ｘ３が求められる（Ｓ９）。尚、グリフ枠とは、文字自体を示すグリフ２２８を囲む最小矩形の周縁部に沿った枠のことである。また、文字列の場合には、文字列に含まれる全ての文字のグリフを囲む最小矩形の周縁部に沿った枠のことである。この後、図２（ｄ）に示すように、文字列の表示対象フォントを基準セル高および基準セル幅で表したときの表示対象グリフ枠２２７が求められ、この表示対象グリフ枠２２７のグリフ高ｙ５とグリフ幅ｘ５が求められる（Ｓ１０）。
【００５１】
次いで、表示対象グリフ枠２２７に対する基準グリフ枠２２６のグリフ高の比率およびグリフ幅の比率が求められる（Ｓ１１）。そして、基準セル高および基準セル幅に対してグリフ高の比率およびグリフ幅の比率がそれぞれ乗算されることによって、表示セル高および表示セル幅が求められる（Ｓ１２）。具体的には、“文字”が変換対象とされていた場合には、グリフ高の比率ｙ３／ｙ５が基準セル高（＝表示高Ｈ）に乗算されることにより表示セル高［Ｈｙ３／ｙ５］が求められると共に、グリフ幅の比率ｘ３／ｘ５が基準セル幅Ｗｘ１／（ｘ１＋ｘ２）に乗算されることにより表示セル幅［Ｗｘ３ｘ１／ｘ５（ｘ１＋ｘ２）］が求められる。
【００５２】
この後、図２（ｅ）に示すように、求めた表示セル高および表示セル幅の文字セル２２５の表示対象フォントで各文字が表示される（Ｓ１４）。
【００５３】
以上のようにしてフォントサイズ変更ルーチンが実行される結果、拡大プレビュー領域２１８に表示される文字は、フォントを変更した場合でも、常に略同一のグリフサイズで表示されることになる。尚、図１０に示すように、２列の初期レイアウトが選択されていた場合には、拡大プレビュー領域２１８の各表示枠２２４に対して上述の変更ルーチンが実行される。この結果、表示枠２２４のそれぞれに“鈴木”および“一郎”という文字列が書き込まれていれば、これら文字列の“鈴木”および“一郎”が略同一のグリフサイズの表示対象フォントで表示されることになる。
【００５４】
次に、拡大プレビュー領域２１８に“鈴木”および“一郎”という文字列が表示された状態で完了スイッチ２１４が押圧されると、これらの文字列および表示対象フォントが確定されて次の処理へ引き継がれる。そして、図１１に示すように、作成画面２３０が表示される。作成画面２３０には、上述の拡大プレビュー領域２１８や作成手順欄２１１、完了スイッチ２１４等の他、ポジ原稿のプレビュー画像を実寸で表した実プレビュー領域２３１および微調整スイッチ２３２が設けられている。そして、実プレビュー領域２３１や拡大プレビュー領域２１８のプレビュー画像を基にして文字の大きさやレイアウトがオペレータにより確認され、この状態で調整する必要が無ければ、完了スイッチ２１４が押圧されることによって、この文字列の状態が確定されて次の処理へ引き継がれる。一方、文字の大きさやレイアウトを調整する必要がある場合には、微調整スイッチ２３２が押圧される。尚、フォントを変更する場合には、復帰スイッチ２２２が押圧されることによって、図９の文字入力画面２１７に戻される。
【００５５】
微調整スイッチ２３２が押圧されると、図１２に示すように、微調整画面２３３が表示される。微調整画面２３３には、処理対象となる文字のサイズを調整するサイズ調整欄２３４と、処理対象となる文字の位置を調整する位置調整欄２３５とが拡大プレビュー領域２１８の下方に設けられている。サイズ調整欄２３４には、文字セルの全体を拡大する全拡大スイッチ２３４ａと、文字セルの全体を縮小する全縮小スイッチ２３４ｂと、文字セルの縦方向のみを拡大する縦拡大スイッチ２３４ｃと、文字セルの縦方向のみを縮小する縦縮小スイッチ２３４ｄと、文字セルの横方向のみを拡大する横拡大スイッチ２３４ｅと、文字セルの横方向のみを縮小する横縮小スイッチ２３４ｄとが設けられている。一方、位置調整欄２３５には、拡大プレビュー領域２１８における文字セルの位置座標（文字の表示位置）を上下左右に変化させる位置スイッチ２３５ａが設けられている。
【００５６】
また、拡大プレビュー領域２１８においては、各文字の周囲を囲んだ矩形状の識別枠２３８が表示されている。識別枠２３８は、各文字の文字セルの周縁部に沿って形成されており、サイズ調整欄２３４や位置調整欄２３５の処理対象となる文字をオペレータに対して識別可能にしている。尚、この識別枠２３８は、拡大プレビュー領域２１８に表示された各文字の文字セル上にマウスポインタを位置させてクリックする毎に表示と非表示とに切り換えられる。
【００５７】
さらに、拡大プレビュー領域２１８の側方には、拡大プレビュー領域２１８に表示された状態を保存するレイアウト保存スイッチ２３６と、微調整画面２３３が表示された直後の状態に戻す初期状態復帰スイッチ２３７とが設けられている。
【００５８】
上記の微調整画面２３３が表示されると、先ず、拡大プレビュー領域２１８に表示された識別枠２３８がオペレータにより目視され、識別枠２３８で囲まれた文字が処理対象となっていることが確認される。そして、処理対象となる文字を特定する場合には、マウスポインタが拡大プレビュー領域２１８の文字上に移動され、この文字が識別枠２３８で囲まれていれば、マウスのクリックにより非処理対象（識別枠２３８の非表示）に切り換えられる一方、識別枠２３８で囲まれていなければ、マウスのクリックにより処理対象（識別枠２３８の表示）に切り換えられる。
【００５９】
即ち、マウスポインタを所望の位置に移動させるようにマウスが操作されてクリックされると、図３の処理判定ルーチンが実行される。そして、マウスポインタの座標値を基にしてマウスポインタが拡大プレビュー領域２１８における文字上に存在するか否かが判定される（Ｓ２１）。文字上に存在していない場合には（Ｓ２１，ＮＯ）、他の処理が実行された後（Ｓ２２）、本ルーチンが終了される。例えばヘルプスイッチ２１６上にマウスポインタが存在していれば、ヘルプ画面の表示後に終了される。一方、文字上に存在する場合には（Ｓ２１，ＹＥＳ）、この文字に対して処理対象と非処理対象とを切り換えるように選択フラグが反転される（Ｓ２３）。尚、選択フラグは、サイズ調整や位置調整の処理対象となっている否かを示すデータであり、選択フラグが立ち上げられたときに処理対象であることを示し、立ち下げられたときに非処理対象であることを示す。
【００６０】
この後、拡大プレビュー領域表示処理が実行される（Ｓ２４）。即ち、図４に示すように、拡大プレビュー領域２１８に対応して形成された文字表示バッファの先頭位置にデータポインタが移動され（Ｓ３１）、データポインタの指す位置に文字が格納されているか否かが判定される（Ｓ３２）。文字が格納されていなければ（Ｓ３２，ＮＯ）、本ルーチンから処理判定ルーチンにリターンされる一方、文字が格納されていれば（Ｓ３２，ＹＥＳ）、この文字が拡大プレビュー領域２１８に表示される（Ｓ３３）。
【００６１】
さらに、データポインタの文字に対して選択フラグが立ち上げられているか否かが判定され（Ｓ３４）、選択フラグが立ち上げられていれば（Ｓ３４，ＹＥＳ）、拡大プレビュー領域２１８に表示された文字を囲むように識別枠２３８が表示される（Ｓ３５）。一方、選択フラグが立ち上げられていなければ（Ｓ３４，ＮＯ）、識別枠２３８が非表示にされる（Ｓ３６）。この後、データポインタが文字表示バッファの次の位置に移動され（Ｓ３７）、Ｓ３２から再実行される結果、文字表示バッファに格納された全文字についての表示が行われると共に、選択フラグに基づいた識別枠２３８の表示および非表示が行われる。そして、本ルーチンから図３の処理判定ルーチンにリターンされることによって、マウスをクリックしたときの一連の処理が終了する。
【００６２】
以上のようにして処理対象となる文字が特定されると、続いて、マウスポインタがサイズ調整欄２３４や位置調整欄２３５に移動され、各スイッチ２３４ａ〜２３４ｆ，２３５が押圧される。
【００６３】
例えば図５（ａ）に示すように、特定の１文字が識別枠２３８に囲まれて処理対象とされていた場合において、図１２の全拡大スイッチ２３４ａが押圧されると、図５（ｂ）に示すように、識別枠２３８に囲まれた文字の文字セルが全方向に拡大されることによって、グリフサイズが拡大されると共に、文字セルの周縁部に沿って形成される識別枠２３８が拡大される。この後、図１２の位置調整欄２３５における右方向および上方向の位置スイッチ２３５ａが押圧されると、図５（ｃ）に示すように、識別枠２３８で囲まれた特定の文字のみが拡大された状態を維持しながら所定量単位で右方向および上方向へ移動する。
【００６４】
また、例えば図６（ａ）に示すように、全ての文字が識別枠２３８に囲まれて処理対象とされていた場合において、図１２の全拡大スイッチ２３４ａが押圧されると、図６（ｂ）に示すように、全ての文字のグリフサイズが拡大され、この後、図１２の位置調整欄２３５における右方向および上方向の位置スイッチ２３５ａが押圧されると、図６（ｃ）に示すように、全ての文字が拡大された状態を維持しながら所定量単位で右方向および上方向へ移動する。
【００６５】
これにより、オペレータは、識別枠２３８により処理対象となっている文字を確認しながら、この文字のグリフサイズおよび位置を変更することができるため、印鑑枠２２３に対して所望のバランスを有したレイアウトに容易に調整することができる。この後、調整したレイアウトの状態をオリジナルフォーマットとして保存する場合には、図１２に示すように、レイアウト保存スイッチ２３６が押圧されることによって、オリジナル印用の形式選択欄２１２に登録される。一方、微調整を失敗した場合には、初期状態復帰スイッチ２３７が押圧されることによって、この微調整画面２３３が表示された直後の状態に戻される。
【００６６】
そして、上記のようにして調整が完了すると、完了スイッチ２１４が押圧されることによって、図１１に示すように、作成画面２３０の拡大プレビュー領域２１８および実プレビュー領域２３１に微調整後の文字が表示される。この後、所望のフォントおよびレイアウトで文字が作成された場合には、完了スイッチ２１４が押圧されることにより文字の作成が完了する。
【００６７】
一方、フォントや文字を変更したい場合には、復帰スイッチ２２２が押圧されることによって、図１０の文字入力画面２１７に切り換えられる。この際、文字入力画面２１７の拡大プレビュー領域２１８に表示された各文字には、例えば縦１０ドット拡大、横６ドット縮小、上方向４ドット移動、右方向８ドット移動等のように微調整情報が付加されている。尚、この微調整情報は、図８のオリジナル印用の形式選択欄２１２に登録されたオリジナルフォーマットを読み出して図９の文字入力画面２１７に表示させた場合の各文字についても付加されている。
【００６８】
そして、このような場合において、例えば図７（ａ）のレイアウトとなるように微調整情報が関連付けられた“文字”に対して“列”が追加されると、図７（ｂ）に示すように、“文”の微調整情報と“字”の微調整情報との平均値が“列”の微調整情報として付加されて表示枠２２４に表示される。これにより、追加された“列”の文字に全く微調整情報が付加されていない場合には、図７（ｃ）に示すように、追加された“列”が既存の“文字”に対して大きく違和感を生じさせるものになるが、図７（ｂ）に示すように、平均値の微調整情報が付加されると、既存の“文字”と追加された“列”との間に違和感を生じさせることがない。この結果、オペレータにより編集作業が円滑に行われることになる。
【００６９】
以上のように、本実施形態の文字画像作成装置は、図１および図２（ａ）〜（ｅ）に示すように、各種フォントの中から選択された表示対象フォントの文字を表示枠２２４内に所定のグリフサイズで表示させるものであって、文字の基準フォントのセルサイズを表示枠２２４の枠サイズに対応させるように演算する演算手段（図１のＳ１〜Ｓ７）と、演算手段で演算された基準フォントのグリフサイズに表示対象フォントのグリフサイズが近づくように、表示対象フォントのセルサイズを変更する変更手段（図１のＳ９〜Ｓ１４）とを備えた構成にされている。そして、本実施形態においては、上記の演算手段と同一の動作を行う第１工程（図１のＳ１〜Ｓ７）と、上記の変更手段と同一の動作を行う第２工程（図１のＳ９〜Ｓ１４）とを有した文字画像作成方法により文字を作成している。
【００７０】
尚、本実施形態においては、枠サイズとして表示枠２２４の表示高および表示幅を用いて表現し、セルサイズとして文字セル２２５のセル高およびセル幅を用いて表現し、グリフサイズとして基準グリフ枠２２６や表示対象グリフ枠２２７のグリフ高およびグリフ幅を用いて表現しているが、これに限定されるものではなく、例えば各サイズを対角線で表現しても良いし、内接円や外接円等で表現しても良い。
【００７１】
上記の構成において、表示枠２２４の枠サイズに対応するように基準フォントのセルサイズが演算手段において求められると、このセルサイズの基準フォントから得られるグリフサイズは、表示枠２２４の枠サイズに対して常に一定の関係になる。従って、この基準フォントによる一定のグリフサイズに表示対象フォントのグリフサイズが近づくように、表示対象フォントのセルサイズを変更すれば、選択される表示対象フォント毎にグリフサイズが異なる場合でも、表示枠２２４に対して一定の関係にある所定のグリフサイズの文字を常に表示させることが可能になる。
【００７２】
また、演算手段（図１のＳ１〜Ｓ７）は、表示枠２２４内に複数の文字が表示されるときに、図１のＳ５やＳ７において、セル高やセル幅の比率を表示枠２２４の表示高や表示幅に乗算することによって、各文字の基準フォントの全セルサイズを、表示枠２２４の枠サイズに対応させるセルサイズとする機能を有していると共に、文字列の基準フォントのセルサイズから全セルサイズに対する占有率をセル高やセル幅の比率に基づいて求め、この占有率に応じて文字列の基準フォントのグリフサイズを変更する機能を有している。これにより、表示枠２２４内に表示される文字数に応じて最適なグリフサイズの文字を表示させることが可能になっていると共に、文字が可変ピッチフォントであったときに、このフォントのセルサイズに応じた表示を文字列に対して行うことが可能になっている。
【００７３】
尚、本実施形態においては、占有率を簡単に求めることができるように、基準フォントの文字セル２２５のセル高およびセル幅を基にして占有率を求めているが、これに限定されるものではなく、上述のように対角線長や内接円等の半径を基にして求めることもできる。
【００７４】
さらに、図９や図１０に示すように、表示枠２２４は、印鑑枠２２３に沿って形成された仮想の矩形枠であり、表示枠２２４内の文字は、印鑑枠２２３と一体になって表示されている。これにより、表示対象フォントの文字の画像を印鑑枠２２３の画像と共に目視することができるため、文字と印鑑枠２２３との関係を容易に把握することができる。
【００７５】
また、本実施形態における文字画像作成装置は、文字の基準フォントのセルサイズを表示枠２２４の枠サイズに対応させるように演算し、演算された基準フォントのグリフサイズに表示対象フォントのグリフサイズが近づくように、表示対象フォントのセルサイズを変更することを特徴とする文字画像作成プログラムを実行可能なパーソナルコンピュータ１５０により実現されている。そして、文字画像作成プログラムを記録する記録媒体として、フロッピーディスクやＣＤ−ＲＯＭを例示しているが、これに限定されるものではなく、半導体メモリーや磁気テープ等の記録媒体に記録されていても良い。
【００７６】
【発明の効果】
請求項１の発明は、各種フォントの中から選択された表示対象フォントの文字を表示枠内に所定のグリフサイズで表示させる文字画像作成装置であって、前記文字の基準フォントのセルサイズを前記表示枠の枠サイズに対応させるように演算する演算手段と、前記演算手段で演算された前記基準フォントのグリフサイズに前記表示対象フォントのグリフサイズが近づくように、該表示対象フォントのセルサイズを変更する変更手段とを備えている構成である。上記の構成によれば、表示枠の枠サイズに対応するように基準フォントのセルサイズが演算手段において求められると、このセルサイズの基準フォントから得られるグリフサイズは、表示枠の枠サイズに対して常に一定の関係になる。従って、この基準フォントによる一定のグリフサイズに表示対象フォントのグリフサイズが近づくように、表示対象フォントのセルサイズを変更すれば、選択される表示対象フォント毎にグリフサイズが異なる場合でも、表示枠に対して一定の関係にある所定のグリフサイズの文字を常に表示させることが可能になる。
【００７７】
請求項２の発明は、請求項１記載の文字画像作成装置であって、前記演算手段は、前記表示枠内に複数の文字が表示されるときに、各文字の基準フォントの全セルサイズを、前記表示枠の枠サイズに対応させる前記セルサイズとする構成である。上記の構成によれば、表示枠内に表示される文字数に応じて最適なグリフサイズの文字を表示させることができる。
【００７８】
請求項３の発明は、請求項２記載の文字画像作成装置であって、前記演算手段は、文字列の基準フォントのセルサイズから全セルサイズに対する占有率を求め、この占有率に応じて文字列の基準フォントのグリフサイズを変更する構成である。上記の構成によれば、文字が可変ピッチフォントであったときに、このフォントのセルサイズに応じた表示を各文字に対して行うことができる。
【００７９】
請求項４の発明は、請求項３記載の文字画像作成装置であって、前記演算手段は、前記基準フォントの文字セルの幅および高さを基にして前記占有率を求める構成である。上記の構成によれば、占有率を簡単に求めることができる。
【００８０】
請求項５の発明は、請求項１ないし３の何れか１項に記載の文字画像作成装置であって、前記表示枠は、印鑑枠に沿って形成された仮想の矩形枠であり、該表示枠内の文字は、前記印鑑枠と一体になって表示される構成である。上記の構成によれば、表示対象フォントの文字の画像を印鑑枠の画像と共に目視することができるため、文字と印鑑枠との関係を容易に把握することができる。
【００８１】
請求項６の発明は、各種フォントの中から選択された表示対象フォントの文字を表示枠内に所定のグリフサイズで表示させる文字画像作成方法であって、前記文字の基準フォントのセルサイズを前記表示枠の枠サイズに対応させるように演算する第１工程と、前記第一工程で演算された前記基準フォントのグリフサイズに前記表示対象フォントのグリフサイズが近づくように、該表示対象フォントのセルサイズを変更する第２工程とを備えている構成である。上記の構成によれば、請求項１の場合と同様に、選択される表示対象フォント毎にグリフサイズが異なる場合でも、所定のグリフサイズの文字を常に表示させることが可能になる。
【００８２】
請求項７の発明は、各種フォントの中から選択された表示対象フォントの文字を表示枠内に所定のグリフサイズで表示させる文字画像作成プログラムを記録したコンピュータ読み取り可能な記録媒体であって、前記文字の基準フォントのセルサイズを前記表示枠の枠サイズに対応させるように演算し、前記演算された前記基準フォントのグリフサイズに前記表示対象フォントのグリフサイズが近づくように、該表示対象フォントのセルサイズを変更する構成である。上記の構成によれば、請求項１の場合と同様に、選択される表示対象フォント毎にグリフサイズが異なる場合でも、所定のグリフサイズの文字を常に表示させることが可能になる。
【図面の簡単な説明】
【図１】  フォントサイズ変更ルーチンのフローチャートである。
【図２】  フォントサイズ変更ルーチンの実行途中の状態を示す説明図であり、（ａ）は表示枠の状態、（ｂ）は基準フォントの文字セルの状態、（ｃ）は基準フォントの文字セルを拡大した状態、（ｄ）は表示対象フォントの文字セルの状態、（ｅ）は表示対象フォントの文字セルを拡大した状態である。
【図３】  処理判定ルーチンのフローチャートである。
【図４】  拡大プレビュー領域表示ルーチンのフローチャートである。
【図５】  拡大プレビュー領域内の文字を微調整する状態を示すものであり、（ａ）は文字を識別枠で特定した状態、（ｂ）は文字を拡大した状態、（ｃ）は文字を移動した状態である。
【図６】  拡大プレビュー領域内の文字を微調整する状態を示すものであり、（ａ）は文字を識別枠で特定した状態、（ｂ）は文字を拡大した状態、（ｃ）は文字を移動した状態である。
【図７】  微調整情報が付加された文字列に文字を追加する状態を示すものであり、（ａ）は文字の追加前の状態、（ｂ）は追加した文字に微調整情報を付加した状態、（ｃ）は追加された文字に微調整情報を付加しなかった状態である。
【図８】  形式選択画面の説明図である。
【図９】  文字入力画面の説明図である。
【図１０】  文字入力画面の説明図である。
【図１１】  作成画面の説明図である。
【図１２】  微調整画面の説明図である。
【図１３】  スタンプ画像編集装置であるパーソナルコンピュータとこれに接続されたスタンプ作成装置のブロック図である。
【図１４】  図１３に示されたスタンプ作成装置の全体斜視図である。
【図１５】  図１３に示されたスタンプ作成装置の全体断面図である。
【図１６】  図１３に示されたスタンプ作成装置に用いられるスタンプユニットの分解斜視図である。
【図１７】  図１３に示されたスタンプ作成装置に用いられるスタンプユニットの分解斜視図である。
【図１８】  図１３に示されたスタンプ作成装置へのネーム印サイズのスタンプ本体の装着手順を示す斜視図である。
【図１９】  図１３に示されたスタンプ作成装置へのネーム印サイズのスタンプ本体の装着手順を示す斜視図である。
【図２０】  図１３に示されたスタンプ作成装置へのネーム印サイズのスタンプ本体の装着手順を示す斜視図である。
【図２１】  従来のグリフサイズの関係を示す説明図であり、（ａ）はフォント変更前のグリフサイズ、（ｂ）はフォント変更後のグリフサイズである。
【符号の説明】
１ スタンプ作成装置
５ サーマルヘッド
８ 原稿フィルム
９ 熱転写リボン
１０ 発光ユニット
１１１ スタンプユニット
１５０ パーソナルコンピュータ
１５２ ＣＰＵ
１５４ ＲＡＭ
１５８ ハードディスク
１６０ 入力装置
２１０ 形式選択画面
２１１ 作成手順欄
２１２ 形式選択欄
２１３ 用途切換スイッチ
２１４ 完了スイッチ
２１７ 文字入力画面
２１８ 拡大プレビュー領域
２２０ フォント指定欄
２２１ レイアウト枠選択スイッチ
２２２ 復帰スイッチ
２２３ 印鑑枠
２２４ 表示枠
２２５ 文字セル
２２６ 基準グリフ枠
２２７ 表示対象グリフ枠
２２８ グリフ
２３０ 作成画面
２３１ 実プレビュー領域
２３２ 微調整スイッチ
２３３ 微調整画面
２３４ サイズ調整欄
２３５ 位置調整欄
２３６ レイアウト保存スイッチ
２３７ 初期状態復帰スイッチ
２３８ 識別枠
【図１】
0004491879.tif 000002
【図２】
0004491879.tif 000003
【図３】
0004491879.tif 000004
【図４】
0004491879.tif 000005
【図５】
0004491879.tif 000006
【図６】
0004491879.tif 000007
【図７】
0004491879.tif 000008
【図８】
0004491879.tif 000009
【図９】
0004491879.tif 000010
【図１０】
0004491879.tif 000011
【図１１】
0004491879.tif 000012
【図１２】
0004491879.tif 000013
【図１３】
0004491879.tif 000014
【図１４】
0004491879.tif 000015
【図１５】
0004491879.tif 000016
【図１６】
0004491879.tif 000017
【図１７】
0004491879.tif 000018
【図１８】
0004491879.tif 000019
【図１９】
0004491879.tif 000020
【図２０】
0004491879.tif 000021
【図２１】
0004491879.tif 000022